(57)【要約】【課題】公開されている膨大なアプリケーションの中から、アプリケーション同士の関連性に応じたアプリケーションを提示する。【解決手段】端末装置５では、導入手段５１によりアプリケーションを導入し、第１の送信手段５３により、導入手段５１により導入されたアプリケーションに関するアプリケーション情報５２を送信する。処理装置６では、受信手段と６１により、アプリケーション情報５２を受け取り、統計処理手段６２により、受信したアプリケーション情報５２に基づいて、端末装置５に導入されているアプリケーション導入に関する統計情報６３を算出し、第２の送信手段６４により、統計情報６３を端末装置５に送信する。端末装置５では、提示手段５４により、アプリケーション導入に関する統計情報を提示する。【選択図】図８
2013145484.tif 000002
【特許請求の範囲】
【請求項１】
アプリケーションを導入する導入手段と、
前記導入手段により導入されたアプリケーションに関するアプリケーション情報を送信する第１の送信手段と、
アプリケーション導入に関する統計情報を提示する提示手段と
を備える端末装置と、
前記アプリケーション情報を受け取る受信手段と
前記受信手段により受信したアプリケーション情報に基づいて、前記端末装置に導入されている前記アプリケーション導入に関する統計情報を算出する統計処理手段と、
前記統計処理手段により算出された前記統計情報を前記端末装置に送信する第２の送信手段と
を備える処理装置と
を具備することを特徴とする処理システム。
【請求項２】
前記統計処理手段は、
前記統計情報として、少なくとも、あるアプリケーションが導入されているユーザ端末に導入されている他のアプリケーションを導入しているユーザ端末数を集計したアプリケーション導入頻度情報テーブルを構築する
ことを特徴とする請求項１に記載の処理システム。
【請求項３】
前記端末装置は、
一のアプリケーションを識別する識別子を指定する指定手段を更に備え、
前記指定手段により指定されたアプリケーションの識別子を前記第１の送信手段によって前記処理装置に送信し、
前記処理装置は、
前記受信手段により前記指定されたアプリケーションの識別子を受信し、
前記指定されたアプリケーションの識別子をキーとして、前記アプリケーション導入頻度情報テーブルを参照し、少なくとも、前記指定されたアプリケーションが導入されているユーザ端末に導入されている他のアプリケーションを導入しているユーザ端末数からなるアプリケーション導入頻度情報を、前記第２の送信手段により前記端末装置に送信する
ことを特徴とする請求項２に記載の処理システム。
【請求項４】
複数の端末装置からそれぞれの端末装置に導入されたアプリケーションに関するアプリケーション情報を受け取る受信手段と、
前記受信手段により受信したアプリケーション情報に基づいて、前記複数の端末装置の各々に導入されているアプリケーション導入に関する統計情報を算出する統計処理手段と、
前記複数の端末装置の少なくとも１つの端末装置の要求に応じて前記統計処理手段により算出された前記統計情報を送信する送信手段と
を備えることを特徴とする処理装置。
【請求項５】
前記統計処理手段は、
前記統計情報として、少なくとも、あるアプリケーションが導入されているユーザ端末に導入されている他のアプリケーションを導入しているユーザ端末数を集計したアプリケーション導入頻度情報テーブルを構築する
ことを特徴とする請求項４に記載の処理装置。
【請求項６】
前記受信手段は、前記端末装置からアプリケーションを識別する識別子を受信し、
前記指定されたアプリケーションの識別子をキーとして、前記アプリケーション導入頻度情報テーブルを参照し、前記指定されたアプリケーションが導入されているユーザ端末数と、そのユーザ端末に導入されている他のアプリケーションを導入しているユーザ端末数とからなるアプリケーション導入頻度情報を、前記送信手段により前記端末装置に送信する
ことを特徴とする請求項５に記載の処理装置。
【請求項７】
アプリケーションを導入する導入手段と、
前記導入手段により導入されたアプリケーションに関するアプリケーション情報を送信する送信手段と、
前記アプリケーション情報に基づいて外部の処理装置で統計処理されたアプリケーション導入に関する統計情報を受信する受信手段と、
前記受信手段により受信した統計情報を提示する提示手段と
を備えることを特徴とする端末装置。
【請求項８】
端末装置がアプリケーションを導入する導入ステップと、
前記端末装置が導入されたアプリケーションに関するアプリケーション情報を送信する第１の送信ステップと、
処理装置が前記アプリケーション情報を受け取る受信ステップと、
前記処理装置が、受信したアプリケーション情報に基づいて、前記端末装置に導入されているアプリケーション導入に関する統計情報を算出する統計処理ステップと、
前記処理装置が算出した前記統計情報を前記端末装置に送信する第２の送信ステップと、
前記端末装置が、前記アプリケーション導入に関する統計情報を提示する提示ステップと
を含むことを特徴とする処理方法。
【請求項９】
アプリケーションを導入する導入ステップと、
前記導入ステップで導入されたアプリケーションに関するアプリケーション情報を送信する送信ステップと、
前記アプリケーション情報に基づいて外部の処理装置で統計処理されたアプリケーション導入に関する統計情報を受信する受信ステップと、
前記受信ステップで受信した統計情報を提示する提示ステップと
を含むことを特徴とする処理方法。
【請求項１０】
端末装置のコンピュータに、
アプリケーションを導入する導入機能、
前記導入機能によって導入されたアプリケーションに関するアプリケーション情報を送信する送信機能、
前記アプリケーション情報に基づいて外部の処理装置で統計処理されたアプリケーション導入に関する統計情報を受信する受信機能、
前記受信機能よって受信した統計情報を提示する提示機能
を実行させることを特徴とするプログラム。
【発明の詳細な説明】
【技術分野】
【０００１】
本発明は、処理システム、処理装置、端末装置、処理方法、及びプログラムに関する。
【背景技術】
【０００２】
携帯端末、特に、スマートフォン向けのアプリケーションは、開発の自由度の高さ、及び個人でも開発に参入が可能であることから、多くのアプリケーションが専用のアプリケーション配信サーバ上に公開されている。そのようなアプリケーション配信サーバでは、多くの開発者がアプリケーションを開発し公開しているため、有料・無料を問わず膨大なアプリケーションが氾濫している。
【０００３】
但し、そのようなアプリケーション配信サーバには、必ずしもアプリケーション毎の十分な情報が掲載されているわけではない。ユーザがアプリケーションを選択する際には、例えばアプリケーション配信サーバが提供するランキング型式の情報や、決して十分とは言えない情報を参照して選ぶ必要がある。このように、配信されるアプリケーションの数は増えているものの、ユーザは個人の趣向に合致するアプリケーションを探しにくくなっていると言える。
【０００４】
例えば、特許文献１には、ユーザ毎の過去のコンテンツダウンロード履歴と、該履歴に類似する他のユーザにおける過去のコンテンツダウンロード履歴とから、協調フィルタリングを用いて、ユーザに推薦すべきコンテンツを選択し、該選択したコンテンツをリンクした、ユーザ専用のポータルページを生成して提示する技術が開示されている。
【０００５】
また、特許文献２には、所望のアプリケーションをインストールした携帯端末の環境を、他の携帯端末に複製する場合に、インストールした各アプリケーションの利用履歴情報から作成したアプリケーションプロファイルを他の携帯端末に転送し、他の携帯端末では、受信したアプリケーションプロファイルに基づいてインストールするアプリケーションを指定する技術が開示されている。
【先行技術文献】
【特許文献】
【０００６】
【特許文献１】特開２００３−１４１１５４号公報
【特許文献２】特開２０１０−１９８４７３号公報
【発明の概要】
【発明が解決しようとする課題】
【０００７】
上述した特許文献１では、着信メロディなどのコンテンツデータを対象としているため、過去にＡさんの曲をダウンロードしたので、今回もＡさんの曲をダウンロードするだろうというように、過去のコンテンツダウンロード履歴から推測されるコンテンツデータが個人の嗜好に偏る傾向がある。これに対して、アプリケーションの場合には、単に個人の嗜好のみに関わるだけでなく、アプリケーション同士の関連性（問題なく動作するか否かなどの相性）も考慮する必要がある。
【０００８】
また、特許文献２では、一携帯端末から直接そのアプリケーションのインストールされた環境を他の携帯端末に複製することを目的としているため、一携帯端末にインストールされたアプリケーションの中から選択することは可能でも、それ以外の携帯端末についてはどのようなアプリケーションが導入されているか分からない。
【０００９】
このように、特許文献１、２では、ユーザの嗜好に合ったコンテンツや、一携帯端末が導入したアプリケーションを提示することはできても、公開されている膨大なアプリケーションの中から、アプリケーション同士の関連性に応じた、より適切であろうと思われるアプリケーションを選択することができないという問題があった。
【００１０】
そこで本発明は、公開されている膨大なアプリケーションの中から、アプリケーション同士の関連性に応じたアプリケーションを提示することができる処理システム、処理装置、端末装置、処理方法、及びプログラムを提供することを目的とする。
【課題を解決するための手段】
【００１１】
本発明の処理システムは、アプリケーションを導入する導入手段と、前記導入手段により導入されたアプリケーションに関するアプリケーション情報を送信する第１の送信手段と、アプリケーション導入に関する統計情報を提示する提示手段とを備える端末装置と、前記アプリケーション情報を受け取る受信手段と、前記受信手段により受信したアプリケーション情報に基づいて、前記端末装置に導入されている前記アプリケーション導入に関する統計情報を算出する統計処理手段と、前記統計処理手段により算出された前記統計情報を前記端末装置に送信する第２の送信手段とを備える処理装置とを具備することを特徴とする処理システムである。
【００１２】
本発明の処理装置は、複数の端末装置からそれぞれの端末装置に導入されたアプリケーションに関するアプリケーション情報を受け取る受信手段と、前記受信手段により受信したアプリケーション情報に基づいて、前記複数の端末装置の各々に導入されているアプリケーション導入に関する統計情報を算出する統計処理手段と、前記複数の端末装置の少なくとも１つの端末装置の要求に応じて前記統計処理手段により算出された前記統計情報を送信する送信手段とを備えることを特徴とする処理装置である。
【００１３】
本発明の端末装置は、アプリケーションを導入する導入手段と、前記導入手段により導入されたアプリケーションに関するアプリケーション情報を送信する送信手段と、前記アプリケーション情報に基づいて外部の処理装置で統計処理されたアプリケーション導入に関する統計情報を受信する受信手段と、前記受信手段により受信した統計情報を提示する提示手段とを備えることを特徴とする端末装置である。
【００１４】
本発明の処理方法は、端末装置がアプリケーションを導入する導入ステップと、前記端末装置が導入されたアプリケーションに関するアプリケーション情報を送信する第１の送信ステップと、処理装置が前記アプリケーション情報を受け取る受信ステップと、前記処理装置が、受信したアプリケーション情報に基づいて、前記端末装置に導入されているアプリケーション導入に関する統計情報を算出する統計処理ステップと、前記処理装置が算出した前記統計情報を前記端末装置に送信する第２の送信ステップと、前記端末装置が、前記アプリケーション導入に関する統計情報を提示する提示ステップとを含むことを特徴とする処理方法である。
【００１５】
本発明の処理方法は、アプリケーションを導入する導入ステップと、前記導入ステップで導入されたアプリケーションに関するアプリケーション情報を送信する送信ステップと、前記アプリケーション情報に基づいて外部の処理装置で統計処理されたアプリケーション導入に関する統計情報を受信する受信ステップと、前記受信ステップで受信した統計情報を提示する提示ステップとを含むことを特徴とする処理方法である。
【００１６】
本発明のプログラムは、端末装置のコンピュータに、アプリケーションを導入する導入機能、前記導入機能によって導入されたアプリケーションに関するアプリケーション情報を送信する送信機能、前記アプリケーション情報に基づいて外部の処理装置で統計処理されたアプリケーション導入に関する統計情報を受信する受信機能、前記受信機能よって受信した統計情報を提示する提示機能を実行させることを特徴とするプログラムである。
【発明の効果】
【００１７】
この発明によれば、公開されている膨大なアプリケーションの中から、アプリケーション同士の関連性に応じたアプリケーションを提示することができる。
【図面の簡単な説明】
【００１８】
【図１】本発明の実施形態による通信システム、及び各装置の構成を示すブロック図である。
【図２】本実施形態によるユーザ端末１が備える情報テーブル２３のデータ構成を示す概念図である。
【図３】本実施形態による情報集計サーバ３でアプリケーション情報から生成されるアプリケーション導入状況情報３３−１の一例を示す概念図である。
【図４】本実施形態による情報集計サーバ３でアプリケーションの導入状況情報３３−１から生成されるアプリケーション導入頻度情報テーブル３３−２の一例を示す概念図である。
【図５】本実施形態において、アプリケーションをダウンロードして導入するときのユーザ端末１の動作を説明するためのフローチャートである。
【図６】本実施形態において、ユーザ端末１から送信される情報を受信した情報集計サーバ３の動作を説明するためのフローチャートである。
【図７】本実施形態において、ユーザ端末１がアプリケーション配信サーバ２から任意のアプリケーションを導入する際の、ユーザ端末１と情報集計サーバ３の動作を説明するためのフローチャートである。
【図８】付記１の構成を示すブロック図である。
【発明を実施するための形態】
【００１９】
本発明は、スマートフォン等の携帯端末にアプリケーションを導入する際、そのアプリケーションに関連した導入頻度が高いアプリケーションをユーザに自動的に提示することによって、ユーザ個人の趣向に合致するアプリケーションの導入を容易に行えるようにすることを特徴とする。
【００２０】
以下、本発明の実施の形態を、図面を参照して説明する。
【００２１】
図１は、本発明の実施形態による通信システム、及び各装置の構成を示すブロック図である。図１において、通信システムは、ユーザ端末１、アプリケーション配信サーバ２、及び情報集計サーバ３から構成され、それぞれネットワーク４を介して接続されている。ユーザ端末１は、入力装置１１、通信装置１２、表示装置１３、アプリケーション管理部２１、アプリケーション記憶部２２、情報テーブル２３、及び情報送信部２４を備えている。
【００２２】
入力装置１１は、タッチパネルや、ボタンスイッチなどからなり、データの入力や、動作の指示などを行う。通信装置１２は、ネットワーク４を介して、アプリケーション配信サーバ２や、情報集計サーバ３との間でデータ通信を行う。表示装置１３は、液晶表示器や、ＥＬ（Electro
Luminescence）表示器などのディスプレイであり、メニュー画面、各種データ、静止画、動画などを表示する。
【００２３】
アプリケーション管理部２１は、ユーザがユーザ端末１にアプリケーション配信サーバ２からアプリケーションを導入したとき、アプリケーションをアプリケーション記憶部２２に記憶するとともに、アプリケーションの名称、識別子／識別コード、及び取得元（提供元／メーカ／開発者など）からなるアプリケーション情報を情報テーブル２３に格納する。情報送信部２４は、情報テーブル２３に更新があると、アプリケーション情報を情報集計サーバ３に送信する。なお、このとき、更新のあったもののみを送信しても、全てのアプリケーション情報を送信してもよい。
【００２４】
なお、アプリケーション情報としては、更に、アプリケーションのバージョン情報、ダウンロード年月日時分（ダウンロード後のインストール日時も含む）を追加してもよい。さらに、端末情報として、機種情報（型名やシリアル番号など）、ＯＳ（Operating System）種類・バージョン情報、ＧＰＳ（Global Positioning System）・Ｆｅｌｉｃａ（登録商標）・赤外線通信やｂｌｕｅｔｏｏｔｈ（登録商標）等の近距離無線通信機能、カメラ、加速度センサなどのハードウェア情報（型名やシリアル番号）を追加してもよい。
【００２５】
アプリケーション配信サーバ２は、ユーザ端末１からの要求に応じて、要求されたアプリケーションを、ネットワーク４を介して配信する。
【００２６】
情報集計サーバ３は、通信装置３１、情報受信部３２、情報記憶部３３、統計情報処理部３４、及び情報読み出し部３５から構成されている。通信装置３１は、ネットワーク４を介して、ユーザ端末１との間でデータ通信を行う。情報受信部３２は、ユーザ端末１から送信されるアプリケーション情報を受信し、ユーザ毎のアプリケーション導入状況を示すアプリケーション導入状況情報３３−１（詳細は後述）を情報記憶部３３に保持する。
【００２７】
また、統計情報処理部３４は、各ユーザ端末に導入されているアプリケーション導入の統計情報として、アプリケーション導入状況情報３３−１から、アプリケーション毎に、そのアプリケーションを導入したユーザがどのような他のアプリケーションを導入しているかを示す、アプリケーション導入頻度情報テーブル３３−２（後述）を構築して情報記憶部３３に保持する。なお、アプリケーション導入頻度情報テーブル３３−２は、ユーザ毎のアプリケーション導入状況情報３３−１が更新される度に、更新されるものとする。
【００２８】
情報読み出し部３５は、ユーザ端末１から要求があると、情報記憶部３３に保持されている、アプリケーション導入頻度情報テーブル３３−２から、ユーザ端末１の要求に応じて指定されたアプリケーションに関連して導入頻度が高い他のアプリケーションの一覧を読み出し、通信装置３１を介してユーザ端末１へ送出する。
【００２９】
なお、上記導入頻度が高い他のアプリケーションとは、（１）ソフトウェア（アプリケーションや、ＯＳ等の基本ソフト）同士の適合性、（２）指定されたアプリケーションとその機種のハードウェアとの適合性、（３）指定されたアプリケーションと新たに接続する／組み込むハードウェアとの適合性、などが高い他のアプリケーションを含んでいる。
【００３０】
ユーザ端末１では、上記アプリケーション導入頻度情報テーブル３３−２に基づいて、指定されたアプリケーションに関連して導入頻度が高い他のアプリケーションの一覧を受信すると、該アプリケーションの一覧を表示したり、あるいは、情報テーブル２３に一旦記憶しておき、適宜、読み出して利用したりする。また、受信したアプリケーションの一覧を全て表示することに限定されず、頻度順上位から所定数の一部だけを表示するようにしてもよい。この結果、ユーザは、あるアプリケーションに関連して導入頻度が高い他のアプリケーションを容易に取得することができるようになる。
【００３１】
なお、上述した構成において、情報受信部３２、統計情報処理部３４、情報読み出し部３５は、ＣＰＵ（Central Processing
Unit）と該ＣＰＵにより実行されるプログラムからなり、プログラムの機能ブロックに相当するものであってもよい。また、アプリケーション管理部２１、情報送信部２４は、ＣＰＵと該ＣＰＵにより実行されるプログラムからなり、プログラムの機能ブロックに相当するものであってもよい。また、アプリケーション記憶部２２、情報テーブル２３、及び情報記憶部３３は、フラッシュメモリ等の記憶装置からなり、情報テーブル２３は、記憶装置中に構成されたデーターベースであってもよい。
【００３２】
図２は、本実施形態によるユーザ端末１が備える情報テーブル２３のデータ構成を示す概念図である。図２に示すように、情報テーブル２３は、ユーザ端末１に導入されたアプリケーションを示すアプリケーション情報として、アプリケーションの名称、識別子、取得元からなる情報を格納している。アプリケーション管理部２１は、アプリケーションが導入される度に、通信装置１２を用いてアプリケーション配信サーバ２から取得したアプリケーションの名称、識別子、取得元からなるアプリケーション情報を取得し、情報テーブル２３に格納する。なお、図２に示すアプリ識別情報は、一例であって、アプリケーションを識別するための情報であれば、コードや文字列、他のどの様な情報でもよい。
【００３３】
図３は、本実施形態による情報集計サーバ３でアプリケーション情報から生成されるアプリケーション導入状況情報３３−１の一例を示す概念図である。図３には、１０ユーザに対し、５つのアプリケーションの導入状況が示されている。アプリケーション導入状況情報３３−１は、ユーザ毎に、そのユーザ端末に導入されているアプリケーションを保持している。すなわち、ユーザＵｓｅｒ１は、アプリケーションＡｐｐ１、Ａｐｐ３を導入し、ユーザＵｓｅｒ２は、アプリケーションＡｐｐ２、Ａｐｐ４、Ａｐｐ５を導入している。以下、同様に、○印が導入されたアプリケーションを示している。
【００３４】
図４は、本実施形態による情報集計サーバ３でアプリケーションの導入状況情報３３−１から生成されるアプリケーション導入頻度情報テーブル３３−２の一例を示す概念図である。図４には、図３に示すアプリケーション導入状況情報３３−１から生成したアプリケーション導入頻度情報テーブル３３−２が示されている。情報集計サーバ３の統計情報処理部３４は、各ユーザ端末に導入されているアプリケーション導入の統計情報として、あるアプリケーションを導入している１つ以上のユーザ端末に注目し、それらのユーザ端末に導入されている他のアプリケーションが導入されたユーザ端末数を算出する機能を有する。ここで言うユーザ端末数とは、アプリケーションが導入されているユーザ端末数のことであるので、アプリケーション導入数（導入頻度）と同意である。
【００３５】
すなわち、統計情報処理部３４は、アプリケーション導入状況情報３３−１から、アプリケーション（キー）毎に、そのアプリケーションが導入されたユーザ端末数（括弧内の数値＝導入数）と、そのユーザ端末で導入されている他のアプリケーションが導入されたユーザ端末数（括弧内の数値＝導入数）とを集計し、アプリケーション導入頻度情報テーブル３３−２を構築する。
【００３６】
上記アプリケーション導入頻度情報テーブル３３−２からは、あるアプリケーションを導入しているユーザ端末数と、そのユーザ端末で導入されている他のアプリケーションを導入しているユーザ端末数を知ることができる。すなわち、キーとして「Ａｐｐｌｉｃａｔｉｏｎ１」を指定すれば、「４」つのユーザ端末でＡｐｐｌｉｃａｔｉｏｎ１が導入されており、そのうちの「２」つのユーザ端末でＡｐｐｌｉｃａｔｉｏｎ３が導入されている、という情報が得られる。また、キーとして「Ａｐｐｌｉｃａｔｉｏｎ２」を指定すれば、「４」つのユーザ端末でＡｐｐｌｉｃａｔｉｏｎ２が導入されており、そのうちの「２」つのユーザ端末でＡｐｐｌｉｃａｔｉｏｎ４が導入されており、「２」つのユーザ端末でＡｐｐｌｉｃａｔｉｏｎ５が導入されている、という情報が得られる。以下同様に、それぞれのアプリケーションを導入したユーザ端末で導入されている他のアプリケーションを導入したユーザ端末数（＝導入数）が得られる。
【００３７】
次に、本実施形態の動作について説明する。
図５は、本実施形態において、アプリケーションをダウンロードして導入するときのユーザ端末１の動作を説明するためのフローチャートである。まず、ユーザ端末１は、通信装置１２を用いてアプリケーション配信サーバ２からアプリケーションをダウンロードし、アプリケーション記憶部２２に格納する（ステップＳ１０）。次に、アプリケーション管理部２１は、アプリケーションの名称、識別子、取得元を読み出し、情報テーブル２３に格納する（ステップＳ１２）。但し、既に情報テーブル２３に同じ識別子を持つ要素が格納されている場合は何もしない。次に、情報送信部２４は、情報テーブル２３に格納されている要素全てを、通信装置１２を用いて情報集計サーバ３に送信する（ステップＳ１４）。
【００３８】
図６は、本実施形態において、ユーザ端末１から送信される情報を受信した情報集計サーバ３の動作を説明するためのフローチャートである。まず、情報集計サーバ３は、ユーザ端末１から送信されるアプリケーション名称、識別子、取得元情報を情報受信部３２で受信し、ユーザ端末毎のアプリケーション導入状況情報３３−１として情報記憶部３３に保持する（ステップＳ２０）。
【００３９】
次に、情報集計サーバ３の統計情報処理部３４は、情報記憶部３３に格納されているアプリケーション導入状況情報３３−１を用いて、次のステップＳ２２〜Ｓ２８の処理を行う。まず、統計情報処理部３４は、あるアプリケーションを導入している全てのユーザ端末１を抽出する（ステップＳ２２）。次に、統計情報処理部３４は、各ユーザ端末に導入されているアプリケーション導入に関する統計情報として、そのユーザ端末１が導入している他のアプリケーションを全て抽出し（ステップＳ２４）、抽出した各アプリケーションの数（ユーザ端末数＝導入数）を集計し（ステップＳ２６）、アプリケーションの識別子をキーとし、集計数を値としてアプリケーション導入頻度情報テーブル３３−２を構築する（ステップＳ２８）。
【００４０】
例えば、１０ユーザに対して５つのアプリケーションが導入され、アプリケーション導入状況情報３３−１が図３に示すような場合、上記の処理によって、図４に示すようなアプリケーション導入頻度情報テーブル３３−２が得られる。
【００４１】
次に、全てのアプリケーションに対して上記ステップＳ２２〜Ｓ２８の処理を行ったか否かを判定し（ステップＳ３０）、まだ、行っていないアプリケーションが残っている場合には（ステップＳ３０のＮＯ）、ステップＳ２２に戻り、上述した処理を繰り返す。
【００４２】
そして、全てのアプリケーションに対して上記ステップＳ２２〜Ｓ２８の処理を行われると（ステップＳ３０のＹＥＳ）、統計情報処理部３４は、構築されたアプリケーション導入頻度情報テーブル３３−２を情報記憶部３３に保持し（ステップＳ３２）、当該処理を終了する。
【００４３】
図７（ａ）、（ｂ）は、本実施形態において、ユーザ端末１がアプリケーション配信サーバ２に接続して任意のアプリケーションを導入する際の、ユーザ端末１と情報集計サーバ３の動作を説明するためのフローチャートである。
【００４４】
まず、図７（ａ）において、ユーザ端末１は、アプリケーション配信サーバ２に接続し提示される任意のアプリケーションを選択する（ステップＳ４０）。次に、ユーザ端末１は、選択されたアプリケーションの識別子をキーとして情報集計サーバ３に問い合わせを行う（ステップＳ４２）。
【００４５】
次に、図７（ｂ）に示すように、情報集計サーバ３の情報読み出し部３５は、情報記憶部３３に構築したアプリケーション導入頻度情報テーブル３３−２から、そのキーに対応して格納されている他のアプリケーション毎の集計数（値）を取得し、ユーザ端末１側へ送出する（ステップＳ５０）。
【００４６】
ユーザ端末１は、図７（ａ）に示すように、情報集計サーバ３から受信した他のアプリケーション毎の集計数（値）から、導入頻度の高いものから順に任意の個数だけ抽出して表示装置１３に表示する（ステップＳ４４）。したがって、ユーザは、指定したアプリケーションを導入した他のユーザが導入している他のアプリケーションを、その導入頻度の高いものから順に知ることができる。
【００４７】
上述した実施形態によれば、ユーザ端末１を用いてアプリケーションをダウンロードする際に、各ユーザ端末に導入されているアプリケーション導入に関する統計情報として、アプリケーション導入頻度情報テーブル３３−２から、ユーザ端末１の要求に応じて指定されたアプリケーションに関連して導入頻度が高い他のアプリケーションの一覧をユーザ端末１に提示することで、ユーザは、あるアプリケーションに関連して導入頻度が高い他のアプリケーションを容易に取得することができるようになる。
【００４８】
なお、上述した実施形態では、ユーザ端末１が、図７（ａ）のステップＳ４０でアプリケーションを選択したときに、それをキーに関連するアプリケーション導入頻度情報テーブル３３−２を取得して提示するが、代わりにユーザ端末１に格納されている任意のアプリケーションをキーにして、図７（ａ）のステップＳ４２、Ｓ４４を実行してもよい。この場合、ユーザがアプリケーション配信サーバ２に対して特定のアプリケーションを選択することが不要なため、ユーザ端末１に導入したアプリケーションと関連する他のアプリケーションをより簡易に提示することができる。
【００４９】
また、上述した実施形態では、あるアプリケーションに関連する他のアプリケーションとして同じユーザ（ユーザ端末）が導入していることを条件としたが、アプリケーション導入に関する統計情報を算出する上での条件として、更に、アプリケーションの作成者（あるいは、制作会社社、販売会社など）を付け加えるようにしてもよい。但し、作成者や会社は、グループで判定してもよい。
【００５０】
あるアプリケーションと同時に使用するアプリケーションとして、同じ作成者（制作会社、販売会社）によるアプリケーションの場合、整合性などの問題が発生し難い可能性が高い。したがって、アプリケーション導入に関する統計情報を算出する上での条件として、アプリケーションの作成者（あるいは、制作会社社、販売会社など）を付け加えることは有効性が高い。
【００５１】
更に、アプリケーション導入に関する統計情報を算出する上での条件として、ユーザ端末１の機種情報、ＯＳ（Operating System）の種類やバージョン、あるいはアプリケーションのバージョンなどを加えてもよい。
【００５２】
また、上述した実施形態では、ダウンロード対象をアプリケーションのソフトウェアとしたが、これに限らず、ハードウェアを追加する場合にも適用してもよい。例えば、追加したハードウェアを動作させるためのドライバ・ソフトウェアや、追加したハードウェアを利用するためのアプリケーションの導入に適用可能である。この場合、新たに（あるいは交換のために）ハードウェアを搭載したり、所定のインターフェースを介して接続したりした場合に、ユーザは、そのハードウェアのためのドライバ・ソフトウェアや、アプリケーションとして、最も多くのユーザが導入しているドライバ・ソフトウェアや、アプリケーションを選択することができる。
【００５３】
また、本実施形態は、携帯電話やスマートフォンなどに適用した例であるが、本発明はこれに限定されるものではなく、他の装置として、例えば、ゲーム機、タブレットＰＣ（パーソナルコンピュータ）、ノートＰＣ等にも幅広く適用できる。
【００５４】
以下、本発明の特徴を付記する。
上記の実施形態の一部又は全部は、以下の付記のようにも記載されうるが、以下には限られない。
（付記１）
図８は、付記１の構成図である。なお、図８と図１との対応について説明する。図８に示すユーザ端末５において、導入手段５１は、図１のアプリケーション管理部２１に相当し、アプリケーション情報５２は、図１の情報テーブル２３に相当し、第１の送信手段５３は、図１の情報送信部２４と通信装置１２の送信機能に相当し、提示手段５４は、図１の表示装置１３に相当する。また、図８に示す処理装置６において、受信手段６１は、図１の通信装置３１の受信機能と情報受信部３２に相当し、統計処理手段６２は、図１の統計情報処理部３４に相当し、統計情報６３は、情報記憶部３５のアプリケーション導入頻度情報テーブル３３−２（図３）に相当し、第２の送信手段６４は、情報読み出し部３５と通信装置３１の送信機能に相当する。
【００５５】
この図に示すように、付記１記載の発明は、
アプリケーションを導入する導入手段５１と、
前記導入手段により導入されたアプリケーションに関するアプリケーション情報５２を送信する第１の送信手段５３と、
アプリケーション導入に関する統計情報を提示する提示手段５４と
を備える端末装置５と、
前記アプリケーション情報５２を受け取る受信手段と６１
前記受信手段６１により受信したアプリケーション情報５２に基づいて、前記端末装置５に導入されている前記アプリケーション導入に関する統計情報６３を算出する統計処理手段６２と、
前記統計処理手段６２により算出された前記統計情報６３を前記端末装置５に送信する第２の送信手段６４と
を備える処理装置６と
を具備することを特徴とする処理システムである。
【００５６】
（付記２）
前記統計処理手段は、前記統計情報として、少なくとも、あるアプリケーションが導入されているユーザ端末に導入されている他のアプリケーションを導入しているユーザ端末数を集計したアプリケーション導入頻度情報テーブルを構築することを特徴とする付記１に記載の処理システムである。
【００５７】
（付記３）
前記端末装置は、一のアプリケーションを識別する識別子を指定する指定手段を更に備え、前記指定手段により指定されたアプリケーションの識別子を前記第１の送信手段によって前記処理装置に送信し、前記処理装置は、前記受信手段により前記指定されたアプリケーションの識別子を受信し、前記指定されたアプリケーションの識別子をキーとして、前記アプリケーション導入頻度情報テーブルを参照し、少なくとも、前記指定されたアプリケーションが導入されているユーザ端末に導入されている他のアプリケーションを導入しているユーザ端末数からなるアプリケーション導入頻度情報を、前記第２の送信手段により前記端末装置に送信することを特徴とする付記２に記載の処理システムである。
【００５８】
（付記４）
複数の端末装置からそれぞれの端末装置に導入されたアプリケーションに関するアプリケーション情報を受け取る受信手段と、前記受信手段により受信したアプリケーション情報に基づいて、前記複数の端末装置の各々に導入されているアプリケーション導入に関する統計情報を算出する統計処理手段と、前記複数の端末装置の少なくとも１つの端末装置の要求に応じて前記統計処理手段により算出された前記統計情報を送信する送信手段とを備えることを特徴とする処理装置である。
【００５９】
（付記５）
前記統計処理手段は、前記統計情報として、少なくとも、あるアプリケーションが導入されているユーザ端末に導入されている他のアプリケーションを導入しているユーザ端末数を集計したアプリケーション導入頻度情報テーブルを構築することを特徴とする付記４に記載の処理装置である。
【００６０】
（付記６）
前記受信手段は、前記端末装置からアプリケーションを識別する識別子を受信し、前記指定されたアプリケーションの識別子をキーとして、前記アプリケーション導入頻度情報テーブルを参照し、前記指定されたアプリケーションが導入されているユーザ端末数と、そのユーザ端末に導入されている他のアプリケーションを導入しているユーザ端末数とからなるアプリケーション導入頻度情報を、前記送信手段により前記端末装置に送信することを特徴とする付記５に記載の処理装置である。
【００６１】
（付記７）
アプリケーションを導入する導入手段と、前記導入手段により導入されたアプリケーションに関するアプリケーション情報を送信する送信手段と、前記アプリケーション情報に基づいて外部の処理装置で統計処理されたアプリケーション導入に関する統計情報を受信する受信手段と、前記受信手段により受信した統計情報を提示する提示手段とを備えることを特徴とする端末装置である。
【００６２】
（付記８）
端末装置がアプリケーションを導入する導入ステップと、前記端末装置が導入されたアプリケーションに関するアプリケーション情報を送信する第１の送信ステップと、処理装置が前記アプリケーション情報を受け取る受信ステップと、前記処理装置が、受信したアプリケーション情報に基づいて、前記端末装置に導入されているアプリケーション導入に関する統計情報を算出する統計処理ステップと、前記処理装置が算出した前記統計情報を前記端末装置に送信する第２の送信ステップと、前記端末装置が、前記アプリケーション導入に関する統計情報を提示する提示ステップとを含むことを特徴とする処理方法である。
【００６３】
（付記９）
アプリケーションを導入する導入ステップと、前記導入ステップで導入されたアプリケーションに関するアプリケーション情報を送信する送信ステップと、前記アプリケーション情報に基づいて外部の処理装置で統計処理されたアプリケーション導入に関する統計情報を受信する受信ステップと、前記受信ステップで受信した統計情報を提示する提示ステップとを含むことを特徴とする処理方法である。
【００６４】
（付記１０）
端末装置のコンピュータに、アプリケーションを導入する導入機能、前記導入機能によって導入されたアプリケーションに関するアプリケーション情報を送信する送信機能、前記アプリケーション情報に基づいて外部の処理装置で統計処理されたアプリケーション導入に関する統計情報を受信する受信機能、前記受信機能よって受信した統計情報を提示する提示機能を実行させることを特徴とするプログラムである。
【００６５】
（付記１１）
前記統計処理手段は、前記アプリケーション情報に基づいて、どのユーザ端末がどのアプリケーションを導入しているかを示すアプリケーション導入状況情報を生成し、さらに、前記アプリケーション導入状況情報から、少なくとも、あるアプリケーションが導入されているユーザ端末に導入されている他のアプリケーションを導入しているユーザ端末数を集計したアプリケーション導入頻度情報テーブルを構築することを特徴とする付記２に記載の処理システムである。
【００６６】
（付記１２）
前記統計処理手段は、前記アプリケーション情報に基づいて、どのユーザ端末がどのアプリケーションを導入しているかを示すアプリケーション導入状況情報を生成し、さらに、前記アプリケーション導入状況情報から、少なくとも、あるアプリケーションが導入されているユーザ端末に導入されている他のアプリケーションを導入しているユーザ端末数を集計したアプリケーション導入頻度情報テーブルを構築することを特徴とする付記５に記載の処理装置である。
【００６７】
（付記１３）
処理装置のコンピュータに、複数の端末装置からそれぞれの端末装置に導入されたアプリケーションに関するアプリケーション情報を受け取る受信機能、前記受信したアプリケーション情報に基づいて、前記複数の端末装置の各々に導入されているアプリケーション導入に関する統計情報を算出する統計処理機能、前記複数の端末装置の少なくとも１つの端末装置の要求に応じて前記統計処理機能で算出された前記統計情報を送信する送信機能を実行させることを特徴とするプログラムである。
【符号の説明】
【００６８】
１  ユーザ端末
１１  入力装置
１２  通信装置
１３  表示装置
２１  アプリケーション管理部
２２  アプリケーション記憶部
２３  情報テーブル
２４  情報送信部
２  アプリケーション配信サーバ
３  情報集計サーバ
３１  通信装置
３２  情報受信部
３３  情報記憶部
３４  統計情報処理部
３５  情報読み出し部
４  ネットワーク
５  ユーザ端末
５１  導入手段
５２  アプリケーション情報
５３  第１の送信手段
５４  提示手段
６  処理装置
６１  受信装置
６２  統計処理手段
６３  統計情報
６４  第２の送信手段
【図１】
2013145484.tif 000003
【図２】
2013145484.tif 000004
【図３】
2013145484.tif 000005
【図４】
2013145484.tif 000006
【図５】
2013145484.tif 000007
【図６】
2013145484.tif 000008
【図７】
2013145484.tif 000009
【図８】
2013145484.tif 000010